(57)【要約】【課題】端面電極の狭ピッチ化に容易に対応でき、しかも電極間の良好な電気的接続を実現できる三次元電子回路装置を提供する。【解決手段】連結部材１２０ａを用いて、回路基板１１１および１１２の基板面が対向するように、その周辺部を保持すると共に、回路基板１１１、１１２の端面電極１１５間を電気的に接続する。連結部材１２０ａは、異方性導電フィルム１２３と、一方の面に複数本の金属細線１２２が所定のピッチで配され、かつ金属細線１２２が配された面とは異なる面側に溝１２４ａが形成されたシート状部材１２１ａとで構成されている。シート状部材１２１ａのうち端面電極１１５に対向する部分は、端面電極１１５の形状に対応して湾曲しており、かつ回路基板１１１および１１２の各端面電極１１５は、異方性導電フィルム１２３およびシート状部材１２１ａの少なくとも２本の金属細線１２２を介して電気的に接続されている。【選択図】図１
2008270409.tif 000002
【特許請求の範囲】
【請求項１】
電子部品が実装される第１の面と、当該第１の面に対向する第２の面と、当該第１の面と当該第２の面のそれぞれと第１の所定角度および第２の所定角度を成して接続する第３の面で規定される複数の回路基板の、当該第３の面に設けられた端面電極が連結部材によって電気的に接続されてなる三次元回路基板装置であって、
前記端面電極は前記第１の面に対して所定の断面形状を有して前記接続方向に延在し、
前記連結部材は、
異方性導電部材と、
一方の面に複数本の導線が所定のピッチで配されたシート状部材とで構成され、当該シート状部材は、前記端面電極の形状に対応しており、かつ前記第１および第２の端面電極は、前記異方性導電部材および少なくとも１本の前記導線を介して電気的に接続されている三次元回路装置。
【請求項２】
前記所定の断面形状は曲線または直線で規定される請求項１に記載の三次元電子回路装置。
【請求項３】
前記所定の断面形状は略円弧状である請求項２に記載の三次元電子回路装置。
【請求項４】
前記シート状部材は、前記導線が配された面と異なる面に複数の溝が形成されている請求項１〜３のいずれかに記載の三次元電子回路装置。
【請求項５】
前記溝は、前記導線の延在する方向と平行に形成されている請求項４に記載の三次元電子回路装置。
【請求項６】
前記溝は、その断面形状が多角形および円弧のいずれかである請求項５に記載の三次元電子回路装置。
【請求項７】
前記溝は、前記導線の延在する方向と直交する方向に所定のピッチで形成されている請求項４に記載の三次元電子回路装置。
【請求項８】
前記溝は、前記複数本の導線の間に配置されている請求項３〜７のいずれかに記載の三次元電子回路装置。
【請求項９】
前記溝は格子状の溝である請求項４に記載の三次元電子回路装置。
【請求項１０】
前記シート状部材は、前記導線が配された面と反対側の面に複数の空孔が形成されている請求項３に記載の三次元電子回路装置。
【請求項１１】
前記シート状部材の前記導線が配された面のうち、前記複数本の導線の間に、前記導線と平行に溝が形成されている請求項１〜３のいずれかに記載の三次元電子回路装置。
【請求項１２】
前記シート状部材は、縦弾性係数が異なる第１および第２の部材で構成され、前記導線が配された第１の部材の縦弾性係数は前記導線が配されていない第２の部材の縦弾性係数より小さい請求項１〜３のいずれかに記載の三次元電子回路装置。
【請求項１３】
異方性導電部材と、複数本の導線が所定のピッチで平行に配され、かつ一方の面側に湾曲し易い性質を備えたシート状部材とが積層されて構成される連結部材。
【請求項１４】
前記シート状部材は、前記導線が配された面とは異なる面に複数本の溝が形成されている請求項１３に記載の連結部材。
【請求項１５】
前記溝は、前記導線の延在する方向と平行に形成されている請求項１４に記載の連結部材。
【発明の詳細な説明】
【技術分野】
【０００１】
本発明は、電子部品が実装された回路基板を立体的に積み重ねて構成した三次元電子回路装置、およびその構成要素であり回路基板間を連結する連結部材に関する。
【背景技術】
【０００２】
近年、携帯電話装置に代表されるモバイル製品に対して、カメラ付きやＴＶ内蔵という高機能や軽薄短小等の高付加価値化が強く要求されている。このような要求を満たすためには、構成部品の小型化、実装の高密度化、および回路基板の高機能化が不可欠である。高密度実装を実現するために、その部品実装面上に部品が配置されている回路基板を立体的に積み重ね（多段化実装し）て三次元電子回路装置を構成する三次元実装技術が注目されている。
【０００３】
三次元実装技術の適用例としては、ベアチップを積層した三次元パッケージ（例えば、スタック型ＣＳＰ）を用いたものや、半導体チップから成る独立単体の仮パッケージを複数重ね合わせて三次元化を図ったパッケージ積層三次元装置を用いたもの等が挙げられる。さらには、電子部品（半導体チップ、受動部品など）が実装された回路基板を多段化接続することにより、電子部品の高密度実装を実現する技術もある。
【０００４】
特許文献１に、多段化実装の一例として、複数枚の重ね合わされた回路基板間をビアホールを介して導電性材料で機械的に接続する技術が提案されている。同技術は、回路基板間の電気的配線長を最短にできるため、高い高周波特性が求められる用途の三次元電子回路装置に有用である。
【０００５】
特許文献２に、多段化実装のさらなる例として、複数枚の重ね合わされた回路基板を伝導性スペーサを介して機械的に接続する技術が提案されている。具体的には、回路基板の外端部近傍の部品実装面上に電極を設け、相対する回路基板の電極にスペーサを半田付けして接続される。同技術においては、複数の回路基板とスペーサの位置決めが容易であるという利点を有している。
【０００６】
特許文献３に、メイン回路基板とサブ回路基板をピン状の接続電極で機械的に接続する技術が提案されている。具体的には、メイン回路基板は、電子部品を搭載すると共に、その部品実装面におおむね垂直な方向に延在する外部接続用のスルーホールが複数個有している。サブ回路基板にはメイン回路基板のスルーホールに嵌合する複数個のピン状の電極と端面電極を有している。ピン状接続とスルーホールとが互いに嵌合した状態で半田付けされることによって、メイン回路基板とサブ回路基板が接続される。
【０００７】
特許文献４に、複数の回路基板の表面または内層で配線接続されている複数の電極をそれぞれの基板の周辺部に配置し、これら周辺部に配置された電極（以降、端面電極という）にリードフレームを導電性材料で機械的に接続する技術が提案されている。なお、リードフレームはそれぞれが１つの電極に対応する複数のリードが設けられている。各端面電極は対応するリードを収納できるように回路基板の端部に凹状に形成されている。つまり、リードが対応する凹状の端面電極に収容された状態で、半田付けされて複数の回路基板が接続される。
【特許文献１】特開平１１−２２０２６２号公報
【特許文献２】特開２００５−２１７３４８号公報
【特許文献３】特開平４−２６２３７６号公報
【特許文献４】特開平１−２２６１９２号公報
【発明の開示】
【発明が解決しようとする課題】
【０００８】
しかし、上述の技術においてはそれぞれ以下に述べるような問題がある。まず、特許文献１の技術に関しては、完成後の三次元回路装置に不具合があることが判明しても、不具合原因の解析（不具合原因の電子部品の特定）や不具合原因の電子部品の交換などの修理作業ができない。つまり、完成後の三次元回路装置においては、各回路基板が互いにビアホールを介して導電材料で機械的に接続されており、電子部品や配線が回路基板（三次元回路装置）内に閉じこめられている。
【０００９】
そのために、不具合原因の改正や修理のために各回路基板を三次元回路装置からとり外すことが非常に困難であり、取り外す際に自他の回路基板が容易に破壊されてしまう。さらに、回路基板の実装面上の数カ所に配置される複数のビアホールを介して、複数の回路基板を接続するので、複数の回路基板と複数のビアホールとの位置決めという困難な作業が必要とされる。また、ビアホールによって回路基板の実装面積が損なわれる。
【００１０】
特許文献２の技術に関しては、複数の回路基板の実装面の特定の領域に設けた電極とスペーサが半田付けされるので、回路基板とスペーサの位置決めの困難さは緩和される。しかしながら、完成後の三次元回路装置に不具合があることが判明した時の問題およびスペーサによって回路基板の実装面積が損なわれることは、特許文献１の技術におけるのと同様である。
【００１１】
特許文献３の技術に関しては、複数のピン状の電極を、当該電極にそれぞれに対応するする複数のスルーホールに嵌合させて半田付けするために、メイン回路基板（スルーホール）およびサブ回路基板（ピン状電極）の位置決めに精度が要求される。さらに、スルーホールおよびピン状電極はそれぞれ所定の間隔を必要とするために、メイン回路基板およびサブ回路基板の実装面積が損なわれる。なお、ピン状電極とスルーホールが半田付けされるために、完成後の三次元回路装置に不具合があることが判明した時の問題は、特許文献１の技術におけるのと同様である。
【００１２】
特許文献４の技術に関しては、リードフレームは導電性材料で端面電極に機械的に接続されるので、回路基板の実装面積が損なわれることは防止される。しかしながら、回路基板の単位面積当たりの実装密度が大きくなると、不都合が生じる。つまり、回路基板の実装面上の実装密度が高まると、単位面積当たりの端面電極数も増大する。
【００１３】
単位面積あたりの端面電極数の増加を吸収するためには、端面電極のピッチおよびリードのピッチを狭くすると共に、端面電極およびリード自身も狭隘にしなくてはならない。端面電極とリードは、上述の特許文献３におけるスルーホールとピン状電極の関係と同様に、それぞれ所定の間隔を必要とする。そのために、個々の端面電極およびリードの狭隘化および狭ピッチ化は非常に困難である。
【００１４】
また、実装密度の増大に応じた端面電極とリードの狭隘化および狭ピッチ化はまずリードの強度低下を招く。そして、リードによって接続される三次元電子回路装置の強度低下を招くと共に、リードによる回路基板間の電気的接続不良をも招く。なお、この実装密度の増大に起因する問題は、上述の特許文献１、特許文献２、および特許文献３の技術においても共通している。
【００１５】
本発明は上記従来の課題を解決するもので、電極の狭ピッチ化に容易に対応でき、しかも電極間の良好な電気的接続を実現できる三次元電子回路装置を提供することを目的とする。
【課題を解決するための手段】
【００１６】
上記目的を達成するため、本発明に係る三次元電子回路装置は、
電子部品が実装される第１の面と、当該第１の面に対向する第２の面と、当該第１の面と当該第２の面のそれぞれと第１の所定角度および第２の所定角度を成して接続する第３の面で規定される複数の回路基板の、当該第３の面に設けられた端面電極が連結部材によって電気的に接続されてなる三次元回路基板装置であって、
前記端面電極は前記第１の面に対して所定の断面形状を有して前記接続方向に延在し、
前記連結部材は、
異方性導電部材と、
一方の面に複数本の導線が所定のピッチで配されたシート状部材とで構成され、当該シート状部材は、前記端面電極の形状に対応しており、かつ前記第１および第２の端面電極は、前記異方性導電部材および少なくとも１本の前記導線を介して電気的に接続されている。
【００１７】
ここで、前記所定の断面形状は、曲線または直線で規定されることが好ましく、更には略円弧状であることが好ましい。また前記シート状部材は、前記導線が配された面と異なる面に複数の溝が形成されていることが好ましく、前記溝は、前記導線の延在する方向と平行に形成されていることが好ましい。なお前記溝は、その断面形状が多角形および円弧のいずれかであればよい。
【００１８】
前記溝は、前記導線の延在する方向と直交する方向に所定のピッチで形成されていることが好ましく、また前記溝は、前記複数本の導線の間に配置されていることが好ましい。
【００１９】
また前記シート状部材の前記導線が配された面のうち、前記複数本の導線の間に、前記導線と平行に溝が形成されていてもよい。また前記シート状部材は、縦弾性係数が異なる第１および第２の部材で構成され、前記導線が配された第１の部材の縦弾性係数は前記導線が配されていない第２の部材の縦弾性係数より小さいものであってもよい。
【００２０】
また上記目的を達成する本発明の連結部材は、異方性導電部材と、複数本の導線が所定のピッチで平行に配され、かつ一方の面側に湾曲し易い性質を備えたシート状部材とが積層されて構成されている。
【発明の効果】
【００２１】
本発明の連結部材を用いれば、端面電極の狭ピッチ化に容易に対応でき、実装面積を増加させることもない。また、基板に変形や反りが発生した場合でも、複数本の導線のいずれかが端面電極と電気的に接続されることで、第１および第２の回路基板の端面電極間の電気的な接続を確保できる。
【００２２】
これら技術を用いれば、接続する前の個別検査により良品保証された回路基板の周辺部に延在された電極を接続して三次元電子回路装置を構成できる。また不具合が発生した場合でも、電極に接触している連結部材を回路基板から取り外すことによって、不具合原因の解析（不具合原因の電子部品の特定）や不具合原因の電子部品の交換などの修理作業が可能である。更に、修理不能のために回路基板が廃品になる場合でも、当該回路基板のみを交換すればよく、開発効率においてもメリットが大きい。
【００２３】
また、回路基板の端面電極数や寸法が異なる場合にも、シート状部材として、端面電極のピッチより微細なピッチの導線を配した部材を標準化しておけば、端面電極の数や寸法に応じてシート状部材を切り出すことで柔軟に対応できる。
【００２４】
また、連結部材のうち端面電極と対向する位置にあるシート状部材は、端面電極の形状に対応して湾曲しているため、異方性導電部材を介して端面電極と導線の間の良好な導通状態を確保でき、基板間の電気的接続の信頼性が向上する。更に、シート状部材が湾曲することによって機械的な強度が増し、外部からの力に対して変形しにくくなる利点も有する。
【発明を実施するための最良の形態】
【００２５】
（実施の形態１）
図１〜図４を参照して本発明の実施の形態１に係る三次元電子回路装置の構成について説明する。図１（ａ）に本実施の形態に係る三次元電子回路装置の平面図を示し、図１（ｂ）に図１（ａ）のIｂ−Iｂ線の断面図を示す。また図２（ａ）に図１（ａ）のＡａ部の拡大図を示し、図２（ｂ）に図２（ａ）のIIｂ−IIｂ線の断面図を示す。
【００２６】
図１に示すように、３次元電子回路装置１００は、上側に配された第１回路基板１１１、下側に配された第２回路基板１１２および連結部材１２０ａで構成されている。図１（ｂ）に示すように、第１回路基板１１１は、電子部品が実装される第１の面ＭＳと、この第１の面ＭＳに対向する第２の面ＢＳと、これら第１の面ＭＳおよび第２の面ＢＳのそれぞれと所定角度αおよびβを成して接続する第３の面ＰＳで規定される基板である。本実施の形態では、角度αおよび角度βは９０度に設定されている。第２回路基板１１２も第１回路基板１１１と同様の構成である。
【００２７】
また第１回路基板１１１および第２回路基板１１２は、それぞれの実装面が対向するように、外周の端面ＰＳに接続された板状の４枚の連結部材１２０ａによって、間隔Ｓを隔てて保持されている。
【００２８】
第１回路基板１１１および第２回路基板１１２として、両面配線基板または多層配線基板が用いられる。第１回路基板１１１には半導体チップ１１３および電子部品１１４が実装されており、第２回路基板１１２にはベアチップ１１６および電子部品１１４が実装されている。半導体チップ１１３、電子部品１１４およびベアチップ１１５の電極は、半田または導電性接着剤等により、第１回路基板１１１および第２回路基板１１２に設けられた、それぞれの電極に対応する配線パターンと電気的に接続されている。
【００２９】
ここで、半導体チップ１１３は、ＩＣ、ＬＳＩ等の半導体素子である。また電子部品１１４は、抵抗器、コンデンサ、インダクタ、バリスタ、ダイオード等の一般の受動部品である。なお、ベアチップ１１５は、フリップチップ実装またはワイヤボンディング接続での実装も可能である。
【００３０】
第１回路基板１１１および第２回路基板１１２には一般の樹脂基板や無機基板を用いることができる。特に、ガラスエポキシ基板やアラミド基材を用いた基板、ビルドアップ基板、ガラスセラミック基板もしくはアルミナ基板が好ましい。
【００３１】
図２（ａ）、（ｂ）に示すように、第１回路基板１１１および第２回路基板１１２の周辺部の端面には、断面が略円弧状で回路基板１１１、１１２の配列方向、すなわち図中の矢印Ｚ方向に延在する複数の端面電極１１５が設けられている。この端面電極１１５は、配線基板１１１の表面に形成された、電源用や電気信号用の配線パターン１１７に接続されている。
【００３２】
ここで端面電極１１５の形成方法について説明する。まず第１回路基板１１１と第２回路基板１１２の周縁部に、無電解メッキにより銅などの金属層によってスルーホールを形成する。もしくは無電解メッキや導電性物質の充填などによりビアホールを形成する。続いて、形成されたスルーホールやビアホールの一部を基板端面ごと、機械的切断手段で切断する。このようにして略円弧状の端面電極１１５が形成される。なお、端面電極１１５の形成方法として上記方法以外に、無電解メッキや導電性物質の印刷、エッチングなどにより端面電極１１６を直接基板端部に形成する方法もある。
【００３３】
連結部材１２０ａは、図２に示すように、片面に複数の金属細線１２２が配されたシート状部材１２１ａと異方性導電フィルム１２３が積層されて構成されている。シート状部材１２１ａはポリエステル、ポリイミド、アラミドなどの可撓性の樹脂フィルムである。連結部材１２０ａの強度は、主としてシート状部材１２１ａの機械的強度に依存している。シート状部材１２１ａは、連結部材１２０ａで回路基板１１１と１１２を連結した時に基板間の間隔Ｓを保持し、また連結部材１２０ａに水平方向の外力が加わった時に、回路基板１１２に対し回路基板１１１が左右に変位しない程度の強度を持つ必要がある。
【００３４】
このシート状部材１２１ａの一方の面に、第１回路基板１１１および第２回路基板１１２の配列方向（矢印Ｚ方向）に延在する複数の金属細線１２２が形成されている。また複数の金属細線１２２は、図中の矢印Ｘ方向に沿って所定のピッチで形成されている。なおシート状部材１２１ａ上に所定ピッチの金属細線１２２を形成する方法は、フレキシブルプリント基板に配線パターンを形成する方法と同様であるため、ここでは説明を省略する。また金属細線１２２は、導電性を備えたものであれば必ずしも金属製の導線に限定されず、無機や有機の導体膜をエッチング等により加工したものでもよい。
【００３５】
上述したように端面電極１１５を略円弧状に形成することで、直線状の端面電極に比べて異方性導電フィルム１２３を介した金属細線１２２との接触面積が大きくなり、良好な導通状態が実現できる。更に、シート状部材１２１ａが湾曲して端面電極１１５の半円状の隙間に入り込むことによって端面電極１１５から外れにくくなると共に、外力に対して変形しにくくなり、機械的強度も増す。このように、シート状部材１２１ａと端面電極１１５との間での接触面積や機械的強度を増大させることが出来るような、端面電極１１５の断面形状は好ましくは円弧状であるが、任意の曲線や直線の組み合わで規定することもできる。
【００３６】
図３（ａ）、（ｂ）にシート状部材１２１ａの一部を四角形状に切り出したものの平面図および断面図を示す。図３（ａ）は金属細線１２２が設けられていない面の平面図である。シート状部材１２１ａの金属細線１２２が形成された面とは反対側の面には、断面が三角形状の溝１２４ａが所定のピッチで形成されている。溝１２４ａによってシート状部材１２１ａが湾曲しやすくなるため、連結部材１２０ａを端面電極１１５に接続する際に、シート状部材１２１ａが端面電極１１５の半円状の隙間に入り易くなる。またシート状部材１２１ａが端面電極１１５の略円弧状の形状に沿った形で湾曲し、異方性導電フィルム１２３を介しての端面電極１１５と金属細線１２２との間の電気的な接続が確実に行われる。シート状部材１２１ａを端面電極１１５の半円状の隙間に挿入する方法については、後に詳述する。
【００３７】
異方性導電フィルム１２３は、熱硬化性の絶縁樹脂、具体的にはフィルム状のエポキシ樹脂中に導電性粒子を分散したものである。異方性導電フィルム１２３は、外部からの圧力によって導電性粒子間の間隔が狭くなり、導電性粒子同士が接触することで導通状態が得られる。従って、圧力が加わらない方向では絶縁状態が保たれる。
【００３８】
次に、図２および図４を参照して、連結部材１２０ａを介して、第１回路基板１1１と第２回路基板１１２を所定の間隔Ｓを隔てて連結する工程について説明する。図４（ａ）および（ｂ）は、図２（ａ）の平面図および図２（ｂ）の断面図に対応しており、連結部材１２０ａを構成するシート状部材１２１ａと異方性導電フィルム１２３が端面電極１１５に接続される前の状態を示している。
【００３９】
連結部材１２０ａを端面電極１１５に接続する際には、最初に、図示しない治具を用い、第１回路基板１１１および第２回路基板１１２のそれぞれの実装面を上にして上下に並べ、かつ所定の間隔Ｓを隔てて保持する。
【００４０】
次に、図４（ａ）、（ｂ）に示すように、第１回路基板１１１および第２回路基板１１２の端面に対して平行になるように、異方性導電フィルム１２３と金属細線１２２が配されたシート状部材１２１ａとを並べて配置する。
【００４１】
次に、図示しない圧着ツールを用いて回路基板１１１の端面に対し、異方性導電フィルム１２３を介してシート状部材１２１ａを圧着する。圧着ツールは、シート状部材１２１が端子電極１１５の半円状の隙間に確実に入るように、端面電極１１５に対向する位置に断面が半円状の突条もしくは突起が設けられている。
【００４２】
この状態で図示しない加熱ツールにより異方性導電フィルム１２３を加熱すると、熱硬化性樹脂を基材とする異方性導電フィルム１２３が硬化する。異方性導電フィルム１２３の硬化により、端面電極１１５を含む回路基板１１１の端面と金属細線１２２の間、更にシート状部材１２１との間が接着される。結果、図２（ａ）、（ｂ）に示した状態で、連結部材１２０ａが第１回路基板１１１および第２回路基板１１２に強固に接続される。また異方性導電フィルム１２３が加圧された状態で加熱硬化することにより、端面電極１１５と金属細線１２２間の導通が確保される。
【００４３】
上述した加圧／加熱工程を経ることにより、図１および図２に示すように、第１回路基板１１１と第２回路基板１１２は、連結部材１２０ａを介して連結される。第１回路基板１１１および第２回路基板１１２の対向する位置にある端面電極１１５は、加圧および加熱硬化されて導通状態となった異方性導電フィルム１２３および金属細線１２２を介して相互に電気的に接続される。一方で、異方性導電フィルム１２３は矢印Ｘ方向には絶縁状態を維持するため、所定のピッチで配された各端面電極１１５間は電気的に絶縁された状態となる。
【００４４】
このように、端面電極１１５の形状に対応した突条または突起を有する圧着ツールを用いて、異方性導電フィルム１２３に適当な圧力を加えた状態で加熱硬化することにより、端面電極１１５と対向する金属細線１２２間の導通状態を確保できる。図２（ａ）に示すように端面電極１１５は、異方性導電フィルム１２３を介して複数本の金属細線１２２（図では４本）と接続される。従って回路基板１１１の端面電極１１５と回路基板１１２の端面電極１１５の間は、異方性導電フィルム１２３および複数本の金属細線１２２を介して電気的に接続される。結果、第１および第２回路基板１１１、１１２間の良好な電気的接続を実現できる。
【００４５】
次に、金属細線１２２が備えるべき条件について説明する。金属細線１２２はシート状部材１２１ａの表面に、端面電極１１５のピッチより小さいピッチで形成されている。ここで、金属細線１２２の配列のピッチをＰとする（図２（ａ）参照）。回路基板１１１および１１２の各端面電極１１５間での電気的接続を実現するためには、各端面電極１１５が少なくとも１本の金属細線１２２と接続されていればよい。しかし加圧／加熱工程等で金属細線１２２に断線や剥離が生ずる恐れや、更に金属細線１２２の一本当たりの通電量が過大になる恐れを考慮すると、各端面電極１１５は２本以上の金属細線１２２と接続されることが好ましい。このためピッチＰは端面電極１１５の円弧の長さＬ（図では記載の都合上、矢印を端面電極の外側に表示しているが、実際には端面電極の内周側の長さを示す）の１／２未満とすることが好ましい。なお、金属細線１２２と端面電極１１５の間には異方性導電フィルム１２３が介在しているため、金属細線１２２のピッチＰは、異方性導電フィルム１２３の厚さを考慮し、上記条件より更に小さい値にする必要がある。
【００４６】
また金属細線１２２の太さによって流すことが可能な電流量が変わるため、金属細線１２２の太さや配列のピッチは、要求される通電量に応じて設定する必要がある。本実施の形態の場合、端面電極１１５のピッチが７００μｍ、端面電極１１５の幅が５００μｍである。また金属細線１２２は、幅を２０μｍ、配列ピッチを４５μｍとして、可撓性の樹脂フィルムからなる厚み約２５μｍのシート状部材１２１ａ上にパターンニングして形成されている。
【００４７】
本実施の形態では、シート状部材１２１ａの背面側に溝１２４ａを設けることによって湾曲し易くしている。このため、圧着ツールでシート状部材１２１ａを圧着した時に溝が狭まる方向に変形することによって、シート状部材１２１ａが端面電極１１５の円弧に対応した形に湾曲し、端面電極１１５とシート状部材１２１ａ間の接着がより強固なものとなる。シート状部材１２１ａの湾曲の程度は、溝１２４ａの断面形状や大きさ、ピッチを変えることによりコントロールできる。
【００４８】
なお、シート状部材１２１の厚さを薄くすることによってもシート状部材１２１を湾曲し易くすることができる。しかしシート状部材１２１は金属細線１２２を機械的に支持する機能も備えており、あまり薄くすると機械的強度が低下し、金属細線１２２を適切に支持できなくなるため好ましくない。
【００４９】
このように本実施の形態では、金属細線１２２が配されたシート状部材１２１ａおよび異方性導電フィルム１２３で構成された連結部材１２０ａを用いて、従来のリードフレームと同様の機能を実現している。端面電極１１５間のピッチを狭くしたい場合、リードフレームでは、加工上や強度上の問題から対応に限界があるが、本実施の形態の連結部材１２０ａは、金属細線１２２のピッチを小さくすることで簡単に対応できる。
【００５０】
次に、連結部材１２０ａを回路基板１１１、１１２から取り外す場合について説明する。異方性導電フィルム１２３は半田等に比較するとはがれやすい性質を備えているため、シート状部材１２１ａを強く引っ張ることにより、シート状部材１２１ａを回路基板１１１、１１２から分離することができる。従って、回路基板１１１、１１２に不具合が生じた場合に、回路基板１１１、１１２から連結部材１２０ａをはがして、回路基板毎に原因の解析（不具合原因の電子部品の特定）や、不具合原因の電子部品の交換などの修理作業ができる。更に、修理不能のために回路基板が廃品になる場合でも、当該回路基板のみの交換が可能となる。
【００５１】
なお、本実施の形態においては、シート状部材１２１ａの金属細線１２２が形成された面と反対側の面に断面が三角形状の溝を設けている。しかし溝の断面形状はこれに限定されることなく、同様の効果を発揮できるものであれば、他の形状でもよい。たとえば、図５（ａ）や（ｂ）に示すような、断面が四角形（１２４ａ−１）や台形（１２４ａ−２）等の多角形状の溝や、半円形状の溝（１２４ａ−３）が形成されたシート状部材（１２１ａ−１、１２１ａ−２）を用いてもよい。また図５（ｂ）に示すように断面形状の異なる溝が混在するものであってもよい。
【００５２】
また溝の形状についても、図３に示すようなスリット状の溝だけでなく、同様の効果を発揮できる範囲で色々な変形が考えられる。図６（ａ）〜（ｃ）にシート状部材１２１ａ−３〜１２１ａ−５の金属細線１２２を有しない面の平面図を示す。図６（ａ）〜ｃ）は、図３（ａ）と同様にシート状部材の一部を四角形状に切り出したものである。図６（ａ）、（ｂ）、（ｃ）に示すように、長方形状の凹部をＹ方向に等間隔に配列した溝（１２４ａ−４）、格子状の溝（１２４ａ−５）、円形の空孔を複数点在させたもの（１２４ａ−６）でもよい。長方形状の凹部を等間隔に配列した溝１２４ａ−４や円形の空孔を複数点在させた溝１２４ａ−６は、スリット状の溝に比べて曲げに対する強度が増す。また格子状の溝１２４ａ−５はスリット状の溝に比べて湾曲の程度が均一になる利点を有する。
【００５３】
なお、本実施の形態では、異方性導電フィルム１２３を用いて端面電極１１５と金属細線１２２間の導通状態を確保したが、異方性導電フィルムの代わりに異方性導電ペーストを用いても同様の効果が得られる。
【００５４】
また、本実施の形態では、端面電極１１５として略円弧状の電極を用いているが、これに限定されることなく、例えば、端面電極１１５の半円状の隙間に半田ボールや円柱上の金属を挟み、その外側に連結部材を接続する構成にしてもよい。ただし、この場合は、シート状部材１２１ａの湾曲し易い面を本実施の形態とは逆の面にする必要があるため、それを考慮して溝１２４を設ける面や溝の断面形状を決める必要がある。
【００５５】
また本実施の形態において、第１回路基板１１１と第２回路基板１１２の間に形成されたスペースを絶縁材で充填して機械的強度を増してもよい。絶縁材としては、一般的に無機フィラーと熱硬化性樹脂を含む化合物が使用できる。
【００５６】
更に本実施の形態では、２枚の回路基板を基板面が対向するように配置した例について説明したが、連結部材１２０ａを用いて３枚以上の回路基板を連結することができることは云うまでもない。
【００５７】
（実施の形態２）
図７に、本発明の実施の形態２に係る三次元電子回路装置の要部平面図を示す。図７のＡｂ部は図２のＡａ部に相当する。また図９（ａ）に本実施の形態で使用するシート状部材１２１ｂの一部の断面図を示す。なお図中、図１および図２と同一機能を有する部分には同一符号を付して説明を省略する。以後も同様とする。
【００５８】
本実施の形態では、実施の形態１で用いた連結部材１２０ａを連結部材１２０ｂに置き換えている。図９（ａ）に示すように、連結部材１２０ｂを構成するシート状部材１２１ｂは、金属電極１２２が配置された面にスリット上の溝１２４ｂが形成されている。実施の形態１の場合、シート状部材１２１ａのうち溝１２４ａが狭まる方向に変形することによってシート状部材１２１ａが湾曲する。一方、本実施の形態では、シート状部材１２１ｂの溝１２４ｂが広がる方向に変形することによってシート状部材１２１ｂが湾曲する。シート状部材１２１ｂを用いることにより、実施の形態１のシート状部材１２１ａと同様の効果が得られる。
【００５９】
なお、連結部材１２０ｂを回路基板１１１、１１２に接着する方法は実施の形態１で説明した方法を援用できるため、ここでは説明を省略する。
【００６０】
（実施の形態３）
図８に、本発明の実施の形態３に係る三次元電子回路装置の要部平面図を示す。図８のＡｃ部は図２のＡａ部に相当する。また図９（ｂ）に本実施の形態で使用するシート状部材１２１ｃの一部の断面図を示す。
【００６１】
本実施の形態では、実施の形態１で用いた連結部材１２０ａを連結部材１２０ｃに置き換えている。図９（ｂ）に示すように、連結部材１２０ｃを構成するシート状部材１２１ｃは、金属電極１２２が配置された面およびそれと反対側の面の両方にスリット状の溝１２４ｃ−１および１２４ｃ−２が形成されている。本実施の形態では、溝１２４ｃ−１が狭まる方向に変形することにより、また溝１２４ｃ−２が広がる方向に変形することによりシート状部材１２１ｃが湾曲する。従って、シート状部材１２１ｃは外力が加わった場合に、前述のシート状部材１２１ａや１２１ｂに比べて、より湾曲しやすい性質を備えている。
【００６２】
なお、実施の形態２と同様、連結部材１２０ｃを回路基板１１１、１１２に接着する方法は実施の形態１で説明した方法を援用できるため、ここでは説明を省略する。
【００６３】
（実施の形態４）
図１０に、本発明の実施の形態４に係る三次元電子回路装置に用いるシート状部材１２１ｄの一部の断面図を示す。前述した実施の形態１では、シート状部材１２１ａの金属電極１２２を有する面と反対側の面に溝を設けることにより、一方の面側に湾曲し易い性質を付加した。これに対し本実施の形態では、シート状部材１２１ｄを縦弾性係数の異なる第１および第２の部材１２５、１２６の２層構造としている。すなわち、表面に金属電極１２２が配された第１の部材１２５の縦弾性係数よりも第２の部材１２６の縦弾性係数を大きくすることで、第２の部材１２６側に湾曲し易い性質を付加している。
【００６４】
具体的には、ポリイミドの樹脂フィルムからなる第１の部材１２５の外側に銅箔からなる第２の部材１２６を接合している。銅箔の縦弾性係数はポリイミドの弾性率よりも大きいため、銅箔側に湾曲し易くなる。図６の構成のシート状部材１２１ｄを図１および図２に示したシート状部材１２１ａの代わりに用いることにより、実施の形態１と同様の効果が得られる。
【００６５】
更に、本実施の形態では、銅箔からなる第２の部材１２６がシールド電極またはシールド層として機能するため、不要輻射ノイズ対策としても有効である。
【００６６】
以上、図面を参照して本発明を実施するための最適な形態について説明したが、本発明の適用範囲はこれに限定されるものではなく、当業者であれば容易に到達しうる形態についても本発明の範囲に属することは明らかである。
【産業上の利用可能性】
【００６７】
本発明の三次元電子回路装置は、高機能化や多機能化、小型化が要求される各種のモバイル機器の用途に適用できる。
【図面の簡単な説明】
【００６８】
【図１】本発明の実施の形態１に係る三次元電子回路装置の平面図と断面図
【図２】図１の要部を拡大して示した平面図と断面図
【図３】連結部材を構成するシート状部材の一部の平面図と断面図
【図４】連結部材の回路基板への接着工程を説明する平面図と断面図
【図５】シート状部材の他の例を示す断面図
【図６】シート状部材の他の例を示す平面図
【図７】本発明の実施の形態２に係る三次元電子回路装置の要部平面図
【図８】本発明の実施の形態３に係る三次元電子回路装置の要部平面図
【図９】実施の形態２、３に用いるシート状部材の一部の断面図
【図１０】本発明の実施の形態４に係る三次元電子回路装置に用いるシート状部材の一部の断面図
【符号の説明】
【００６９】
１００  三次元電子回路装置
１１１、１１２  回路基板
１１３  半導体チップ
１１４  電子部品
１１５  端面電極
１１６  ベアチップ
１１７  配線パターン
１２０ａ〜１２０ｃ  連結部材
１２１ａ〜１２１ｄ  シート状部材
１２２  金属細線
１２３  異方性導電フィルム
１２４ａ〜１２４ｃ  溝
【図１】
2008270409.tif 000003
【図２】
2008270409.tif 000004
【図３】
2008270409.tif 000005
【図４】
2008270409.tif 000006
【図５】
2008270409.tif 000007
【図６】
2008270409.tif 000008
【図７】
2008270409.tif 000009
【図８】
2008270409.tif 000010
【図９】
2008270409.tif 000011
【図１０】
2008270409.tif 000012